(57)【特許請求の範囲】
【請求項１】
筒状の電子部品を保持台に形成された収容凹部に収容すると共に、この収容された状態で前記電子部品の側面を該側面の周方向に沿って巻回された弾性変形可能な保持部材によって保持する電子部品の保持構造であって、
前記保持台における収容凹部の表面には、電子部品の側面に当接可能な突起が形成され、
前記保持部材は、前記電子部品の中心軸方向に離間して一対に配置され、各々が前記電子部品の周方向に沿って延在するバンドを備え、これらの一対のバンドは、内周側に突出して電子部品の側面に当接可能な凸部を有し、
前記電子部品の径方向に沿った同一断面に、前記保持台の収容凹部の突起と前記凸部とが合計で３つ配置され、
前記一対のバンドのうち一方側のバンドに電子部品を挟んで対向する突起と他方側のバンドに電子部品を挟んで対向する突起とが、前記電子部品の周方向について互いにずれた位置に配置され、且つ、一方側のバンドに形成された凸部と他方側のバンドに形成された凸部とが、前記電子部品の周方向について互いにずれた位置に配置されることを特徴とする電子部品の保持構造。
【請求項２】
前記一対のバンドは、第１バンドと第２バンドとからなり、前記第１バンドは凸部を１つ有し、前記第２バンドは凸部を前記電子部品の周方向に離間して２つ有すると共に、
前記第１バンドに電子部品を挟んで対向する前記突起が前記電子部品の周方向に離間して２つ形成され、
前記第２バンドに電子部品を挟んで対向する前記突起が１つ形成されたことを特徴とする請求項１に記載の電子部品の保持構造。
【請求項３】
前記電子部品は略円筒状に形成され、該電子部品を保持した状態を電子部品の中心軸方向に見た場合において、
前記第２バンドの凸部と電子部品の側面とが当接する２つの当接部と、これらの当接部と電子部品の中心軸とを結ぶ線分と、のなす中心角を９０°以下に設定したことを特徴とする請求項２に記載の電子部品の保持構造。
【発明の詳細な説明】
【技術分野】
【０００１】
本発明は、コンデンサ等の電子部品の保持構造に関する。
【背景技術】
【０００２】
従来から、基板上にコンデンサ等の電子部品を保持する構造が知られている。例えば、一対の貫通孔を形成した基板の上に、コンデンサを載置し、銅等の金属からなる短冊状の１本のバンドで電子部品を巻回させたのち、前記バンドの端部を前記貫通孔を通して固定することによってコンデンサを保持する技術がある（例えば、特許文献１参照）。
【先行技術文献】
【特許文献】
【０００３】
【特許文献１】特開２００６−３０３１３９号公報
【発明の概要】
【発明が解決しようとする課題】
【０００４】
しかしながら、かかる従来の電子部品の保持構造では、電子部品の外形寸法がばらついた場合に、安定して電子部品を保持することが困難になるおそれがあった。
【０００５】
そこで、本発明は、外形寸法がばらつく電子部品であっても安定して確実に保持することができる電子部品の保持構造を提供するものである。
【課題を解決するための手段】
【０００６】
本発明にあっては、筒状の電子部品を、保持台と保持部材とによって保持する電子部品の保持構造であって、前記電子部品を保持台の収容凹部に収容し、この収容された状態で前記電子部品の側面を該側面の周方向に沿って巻回される弾性変形可能な一対のバンドを有する保持部材によって挟持すると共に、前記保持台における収容凹部の表面には、電子部品の側面に当接可能な突起が形成され、前記電子部品の径方向に沿った同一断面に、前記保持台の収容凹部の突起と前記凸部とが合計で３つ配置され、前記一対のバンドのうち一方側のバンドに電子部品を挟んで対向する突起と他方側のバンドに電子部品を挟んで対向する突起とが、前記電子部品の周方向について互いにずれた位置に配置され、且つ、一方側のバンドに形成された凸部と他方側のバンドに形成された凸部とが、前記電子部品の周方向について互いにずれた位置に配置されることを最も主要な特徴とする。
【発明の効果】
【０００７】
本発明によれば、前記保持台の収容凹部と保持部材とによって電子部品の側面を径方向に沿った断面において３点で支持するため、電子部品の外形寸法が製造上ばらついた場合でも、安定して確実に電子部品を保持することができる。
【図面の簡単な説明】
【０００８】
【図１】図１は、本発明の実施形態に係る電子部品の保持構造を採用した充電装置を設けた車両後部を斜め前方から見た斜視図である。
【図２】図２は、図１の充電装置を下から見た底面図である。
【図３】図３は、図１の充電器の内部を示す正面図である。
【図４】図４は、図３の基板の主要部を抜き出して見た正面図である。
【図５】図５は、第１コンデンサの取付状態を示す斜視図である。
【図６】図６は、図５の正面図である。
【図７】図７は、第１コンデンサ用取付板を示す斜視図である。
【図８】図８は、図７のＡ−Ａ線による断面図である。
【図９】図９は、図７のＢ−Ｂ線による断面図である。
【図１０】図１０は、第２コンデンサの保持状態を示す斜視図である。
【図１１】図１１は、図１０の正面図である。
【図１２】図１２は、図１０の保持台を示す斜視図である。
【図１３】図１３は、図１２の保持台を示す平面図である。
【図１４】図１４は、図１０の第２コンデンサ用取付板を示す斜視図である。
【図１５】図１５は、図１４のＣ−Ｃ線による断面図である。
【図１６】図１６は、図１４のＤ−Ｄ線による断面図である。
【図１７】図１７は、ノイズフィルターを分解した斜視図であり、蓋は省略している。
【図１８】図１８は、コイルケースの正面図である。
【図１９】図１９は、コイルケースの側面図である。
【図２０】図２０は、コイルケースの底面図である。
【図２１】図２１は、ノイズフィルターの筐体の正面図である。
【発明を実施するための形態】
【０００９】
以下、本発明の実施形態について図面を参照しつつ詳細に説明する。
【００１０】
図１〜図２１は、本発明の実施形態にかかる電子部品の保持構造を採用した充電装置の一実施形態を示している。なお、本実施形態においては、電動車両の一例として電気自動車を例にとって説明するが、電気自動車以外にも、いわゆるハイブリッド車等にも適用可能である。
【００１１】
図１に示すように、車両室内の後部には、本実施形態に係る充電装置１が配設されている。車体の側部には、車内側に突出する左右一対のホイールハウス３，３が配設されており、これらのホイールハウス同士３，３を円筒状の取付バー５，５を介して車幅方向に沿って連結している。
【００１２】
前記充電装置１は、充電器７と、該充電器７を車体のフロアパネル９に取り付ける側部側取付プレート１１および中央側取付プレート１３と、電源およびハーネスから発生するノイズを除去するノイズフィルター１５と、を備えている。
【００１３】
前記充電器７は、内部に基板等が配設される充電器本体１７と、該充電器本体１７の車両前方側の開口部を封鎖する蓋１９と、充電器本体１７の左右両端部の蓋１９近傍に設けられた取手２１とを備えている。また、充電器本体１７の上面１７ａの車幅方向両側における車両後方端部付近には、円柱状の取付部２３が上方に向けて突出しており、該取付部２３とその後方に位置する取付バー５のブラケット２５とを平面状の支持プレート２７およびボルト２９を介して連結している。この支持プレート２７は、弾性を有する金属から形成されている。なお、取付部２３の上面と取付バー５のブラケット２５の上面とは、略同一高さに構成されている。
【００１４】
また、前記側部側取付プレート１１の前後両端部には取付部３１が下方に凹んで形成され、該取付部３１は、図２にも示すように、取付部３１に形成されたボルト孔３３にボルト２９を挿入してフロアパネル９に締結されている。
【００１５】
前記中央側取付プレート１３の前部には、下方に凹んだ取付部３５が形成され、該取付部３１は、取付部３５に形成されたボルト孔３３にボルト２９を挿入してフロアパネル９に締結されている。さらに、図２に示すように、中央側取付プレート１３には、ノイズフィルター１５に接続されたアース線３７が接地されており、その接地点Ｐは、取付部３５のボルト孔３３を通り車両前後方向に延びる直線Ｌよりも車幅方向内側（即ち、直線Ｌを挟んで充電器７の反対側）に配置されている。なお、充電器７には、冷却部が設けられており、該冷却部内に冷却水を導入する冷却水入口３９、冷却水を排出する冷却水出口４１およびエア抜き口４３が配設されている。
【００１６】
図３に示すように、充電器本体１７内には、左端部に第１コンデンサ４５が配置され、該第１コンデンサ４５の右側に基板４７が配置されている。
【００１７】
前記基板４７は、図３，４に示すように、角部に複数の取付部４９が配置され、これらの取付部４９を介して充電器本体１７の縦壁面５１に取り付けられている。基板４７の左側上部には、第１補強部材５３が取り付けられ、右側には上下方向に沿って第２補強部材５５が取り付けられ、左側の下端には、左右方向に沿って第３補強部材５７が取り付けられている。
【００１８】
図３，４に示すように、前記第１補強部材５３には、周囲が囲まれた囲い部５８，５９，６０が複数設けられており、これらの囲い部５８，５９，６０の内部に、コンデンサ６１、コイル６３、抵抗６５およびリレーなどの各種の電子部品が配置されている。また、前記第２補強部材５５にも、複数の囲い部６８，６９，７０，７１が設けられており、これらの囲い部６８〜７１の内方に、コンデンサ６１、コイル７３、抵抗６５およびダイオード７５等の各種の電子部品が配置されている。なお、第２補強部材５５の下側には、第２コンデンサ７７が取り付けられている。
【００１９】
第２補強部材５５の右上端部５５ａは、基板４７の充電器本体１７への取付部４９近傍に配置され、第２補強部材５５の下端部５５ｂも取付部４９近傍に配置されている。また、第３補強部材５７は、左端部５７ａが基板４７の取付部４９近傍に配置され、右端部５７ｂも取付部４９近傍に配置されている。このように、第２および第３補強部材５５，５７は、基板４７の取付部４９近傍同士を結ぶように延設されている。
【００２０】
図５，６に示すように、電子部品の一例である第１コンデンサ４５は、略円筒状（筒状）に形成されており、互いに同一形状に形成された一対の第１コンデンサ用取付板（保持部材）７９，７９によって上下から挟持されている。
【００２１】
具体的には、図７〜９に示すように、第１コンデンサ用取付板７９は、互いに間隔をおいて配置した当接面８１，８１と、これらの当接面同士８１，８１を半円状に結ぶ２つのバンド８３，８５とが当接面８１，８１に一体形成して構成されている。これらの第１バンド８３および第２バンド８５は細長い金属製板状部材を湾曲させて形成したものである。第１バンド８３の頂部には、下方（内周方向）に突出する凸部８７が１箇所形成され、第２バンド８５の頂部には、２つの凸部８９，８９が内周側（下方）にむけて突出形成されている。第１コンデンサ用取付板７９，７９によって第１コンデンサ４５を保持したときに、前記凸部８７，８９は、第１コンデンサ４５の側面４５ａに当接可能に構成されている。従って、第１コンデンサ用取付板７９を上から見ると合計で３箇所の凸部８７，８９，８９が形成されている。そして、これら一対の第１コンデンサ用取付板７９，７９を上下に組み合わせると、第１バンド８３の下側には、第２バンド８５が配置されると共に、第２バンド８５の下側には、第１バンド８３が配置される。このように、上下方向に沿った断面においても、凸部８７，８９が合計で３箇所配置されるように構成される。即ち、一方側の第１コンデンサ用取付板７９における第１バンド８３と、他方側の第１コンデンサ用取付板７９における第２バンド８５とは、第１コンデンサ４５を挟んで対向して配置されている。また、一方側の第１コンデンサ用取付板７９における第２バンド８５と、他方側の第１コンデンサ用取付板７９における第１バンド８３とは、第１コンデンサ４５を挟んで対向して配置されるように構成されている。
【００２２】
図１０〜１４を用いて、第２コンデンサ７７の保持状態を説明する。
【００２３】
電子部品の一例である第２コンデンサ７７は、略円筒状に形成されており、下側に配置された保持台９１と、上側に配置された第２コンデンサ用取付板（保持部材）９３とを介して挟持されている。前記保持台９１においては、図１２，１３に示すように、収容凹部９５が第２コンデンサ７７の側面７７ａに沿った凹面状に形成され、一端側には２つの突起９７が配設され、他端側には１つの突起９７が配設されている。前記第２コンデンサ７７は、保持台９１の収容凹部９５に収容されている。また、前記突起９７は、保持される第２コンデンサ７７の中心軸方向に沿って延びるように細長く形成されている。また、保持台９１の外側面の一方側の下端部には基板４７に取り付ける基板取付部９９が２箇所形成され、他方側の下端部には基板取付部９９が１箇所形成されている。２箇所の基板取付部９９相互間の上部には、１箇所のバンド取付部１０１が配設され、１箇所の基板取付部９９の両側の上部には、２箇所のバンド取付部１０１が配設されている。従って、図１３に示すように、平面視で、保持台９１の外側面の一方側にはバンド取付部１０１と基板取付部９９が合計で３箇所配設され、他方側にもバンド取付部１０１と基板取付部９９が合計で３箇所配設されている。
【００２４】
なお、図１１に示すように、第２コンデンサ７７の中心軸をＣとすると、第２コンデンサ用取付板９３における後述する第２バンド１０５の凸部１１０と第２コンデンサ７７との２つの当接部１１１，１１１と、第２コンデンサ７７の中心軸Ｃと、を結ぶ線分の中心角θは、９０°以下に設定されている。
【００２５】
また、図１４〜１６に示すように、第２コンデンサ用取付板９３は、互いに間隔をおいて配置した当接面１０３，１０３と、これらの当接面同士１０３，１０３を結ぶ第１バンド１０７および第２バンド１０５と、が一体形成されている。これらの第１バンド１０７および第２バンド１０５は細長い金属製（例えば、銅や鋼板等）の板状部材を湾曲させて形成したものであり、一方側の第１バンド１０７の頂部には、下方（内周方向）に突出する凸部１０９が１箇所形成され、他方側の第２バンド１０５には、前記凸部１０９に対して周方向にずれた位置にある２つの凸部１１０，１１０が下方に向けて突出形成されている。従って、第２コンデンサ用取付板９３を上から見ると合計で３箇所の凸部１０９，１１０が形成されている。そして、第２コンデンサ用取付板９３を保持台９１に組み付けると、第１バンド１０７の下側には、保持台９１の突起９７が２つ配置されると共に、第２バンド１０５の下側には、保持台９１の突起１０９が１つ配置される。このように、第２コンデンサ７７の径方向（上下方向）に沿った断面においても、凸部１０９，１１０と突起９７が合計で３箇所配置されるように構成される。即ち、前記第１バンド１０７に第２コンデンサ７７を挟んで対向する前記収容凹部９５の部位には前記突起９７が２つ形成され、前記第２バンド１０５に第２コンデンサ７７を挟んで対向する前記収容凹部９５の部位には前記突起９７が１つ形成されている。
【００２６】
図１７に示すように、ノイズフィルター１５を構成するフィルターボックス１１２は、樹脂製の箱状部材であり、図１に示す充電器本体１７とは反対側の位置に開口部を備えるボックス本体１１２ａと、ボックス本体１１２ａの前記開口部を封鎖する蓋１１２ｂとを備えている。ボックス本体１１２ａは、基板が取り付けられる側壁面１１３と該側壁面１１３の外周を囲んだ外周側面１１５とを備えている。前記側壁面１１３の四隅には、基板１１７をボルト締結するボルト取付部１１９が形成され、また、側壁面１１３の基板１１７を取り付ける側には、上下方向および左右方向に沿って正面視格子状の補強リブ１２１が側壁面１１３に一体形成されている。そして、基板１１７には、コイル１２３を巻回したコイルケース１２５，１２７等が取り付けられている。
【００２７】
前記基板１１７のボルト孔１２９とフィルターボックス１１２の側壁面１１３のボルト取付部１１９とを対応させ、前記ボルト孔１２９に図外のボルトを挿入してボルト取付部１１９に締結させることにより、基板１１７を側壁面１１３に取り付けている。
【００２８】
図１８〜図２０は、樹脂製の前記コイルケース１２５を示している。コイルケース１２５は、下側に配置された支持部１３１と、該支持部１３１の上側に配置されたコイル保持部１３３と、を備えている。前記コイル保持部１３３は、中心部に貫通孔１３３ａを備えて正面視略円盤状に形成されており、コイル保持部１３３に貫通孔１３３ａを通してコイル１２３が巻回される。
【００２９】
また、支持部１３１の底面は図２０中で左右方向に長い長方形状を呈し、その底面の四隅にはボルト締結部１３７が形成されている。このボルト締結部１３７に対応して基板１１７側にはボルト挿入孔を備え、該ボルト挿入孔にコイルケース１２５と反対側からボルト１３８を挿入してボルト締結部１３７に締結することで、コイルケース１２５を基板１７に取り付ける。
【００３０】
そして、支持部１３１の底面における上記長方形状の各辺（四辺）の中央、即ち、ボルト締結部１３７相互間の中央にそれぞれ１箇所、支持部１３１の底面の中心部に１箇所、合計５箇所の接合部１３９が互いに離間して配置されている。これらの接合部同士１３９は、連結リブ１４１によって連結されている。
【００３１】
また、図２０中で上部側の２つのボルト締結部１３７と、この２つのボルト締結部１３７と同一直線上にある接合部１３９との間の底面には、図１８中で下方に延びる位置決めピン１３５が２本突出している。
【００３２】
なお、図２０に示すように、接合部１３９の底面は、円形状に形成されると共に、図１８，１９に示すように、ボルト締結部１３７の底面から高さＨだけ上側に配置されている。ここで、ボルト締結部１３７を基板１１７の上に締結すると、基板１１７と接合部１３９の底面との間に高さＨ分の隙間が形成される。また、前記接合部１３９の底面には、接着剤が塗布されて接合部１３９と基板１１７の表面とは接着剤を介して接合される。従って、基板１１７と接合部１３９の底面との間の隙間に接着剤が確実に介在することができる。
【００３３】
一方、図２１に示すように、フィルターボックス１１２の側壁面１１３に設けられた補強リブ１２１は、上下方向（縦方向）に延設される縦リブ１４３と、該縦リブ１４３に交差して略水平方向（横方向）に延設される横リブ１４５とから正面視で格子状に形成されている。これらの補強リブ１２１のうち、側壁面１１３に取り付けられるコイルケース１２５の支持部１３１の左右方向中央に配置されて縦方向に延びる中心軸Lに対応する縦リブを第１補強リブ１４７とし、コイルケース１２５の支持部１３１の上下方向中央を通り横方向に延びる中心軸Mに対応する横リブを第２補強リブ１４９とする。すると、コイルケース１２５を側壁面１１３に取り付けたときに、コールケース１２５の支持部１３１に設けた接合部１３９が第１補強リブ１４７上に３箇所配置され、第２補強リブ１４９上にも３箇所配置される。また、４箇所のボルト締結部１３７も縦リブ１４３上に配置される。なお、図２１にも示すように、コイルケース１２５と同形状の下側に配置されたコイルケース１２７も同様に、コイルケース１２５の接合部１３９に相当する接合部１５１は第１補強リブ１４７と横リブ１４５の上に配置される。
【００３４】
ここで、第１補強リブ１４７及び第２補強リブ１４９の基板取付面１１３ａからの高さは、ボルト取付部１１９の基板取付面１１３ａからの高さと略同等であって、他の補強リブ１２１の基板取付面１１３ａからの高さよりも高くなっている。
【００３５】
つまり、基板１１７を基板取付面１１３ａに取り付けたときに、基板１１７の裏面はボルト取付部１１９の先端面に当接すると共に、補強部である第１補強リブ１４７及び第２補強リブ１４９の先端面にも当接する。その際、コイルケース１２５，１２７を基板１１７に取り付ける際に使用する前記したボルトの頭部は、第１補強リブ１４７及び第２補強リブ１４９よりも高さの低い他の補強リブ１２１と基板１１７との間に位置する。
【００３６】
このように、本実施形態によれば、フィルターボックス１１２の基板取付面１１３ａに設けた第１補強リブ１４７及び第２補強リブ１４９は、部品であるコイル１２３及びコイルケース１２５（１２７）の前記各中心軸Ｌ，Ｍに対応する位置に設定されている。
【００３７】
以下に、本実施形態による作用効果を説明する。
【００３８】
（１）筒状の第２コンデンサ７７（電子部品）を保持台９１に形成された収容凹部９５に収容すると共に、この収容された状態で第２コンデンサ７７の側面７７ａを該側面７７ａの周方向に沿って巻回された弾性変形可能な第２コンデンサ取付板９３（保持部材）によって保持する。前記保持台９１における収容凹部９５の表面には、第２コンデンサ７７の側面７７ａに当接可能な突起９７が形成され、前記第２コンデンサ取付板９３は、凸部（凸部１０９，１１０）を有するバンド（第１バンド１０７および第２バンド１０５）を備え、前記電子部品の径方向に沿った同一断面で前記保持台９１の収容凹部９５の突起９７と前記凸部とが合計で３つ有する。
【００３９】
従って、第２コンデンサ７７の外形寸法がばらついた場合でも、第２コンデンサ７７を安定して確実に保持することができる。
【００４０】
（２）前記第１バンド１０７は凸部１０９を１つ有し、前記第２バンド１０５は凸部１１０を２つ有すると共に、前記第１バンド１０７に第２コンデンサ７７を挟んで対向する前記収容凹部９５の部位には前記突起９７が２つ形成され、前記第２バンド１０５に第２コンデンサ７７を挟んで対向する前記収容凹部９５の部位には前記突起９７が１つ形成されている。
【００４１】
このように、第２コンデンサ７７の側面７７ａの一方の片側は、保持台９１の３つの突起９７によって支持され、他方の片側は、第１バンド１０７および第２バンド１０５の３つの凸部１０９，１１０によって支持される。従って、第２コンデンサ７７の外形寸法がばらついた場合でも、第２コンデンサ７７を安定して確実に保持することができる。
【００４２】
（３）前記第２コンデンサ７７は略円筒状に形成され、該第２コンデンサ７７を保持した状態を第２コンデンサ７７の中心軸方向に見た場合において、前記第２バンド１０５の凸部１１０と第２コンデンサ７７の側面７７ａとが当接する２つの当接部１１１，１１１と、これらの当接部１１１，１１１と第２コンデンサ７７の中心軸Ｃとを結ぶ線分と、のなす中心角θを９０°以下に設定している。
【００４３】
従って、前記第２バンド１０５によって第２コンデンサ７７の側面７７ａを押圧した場合に、第２バンド１０５が効率良く拡開し、第２コンデンサ７７をさらに確実に保持することができる。
【符号の説明】
【００４４】
７７  第２コンデンサ（電子部品）
７７ａ  側面
９１  保持台
９３  第２コンデンサ取付板（保持部材）
９５  収容凹部
９７  突起
１０５  第２バンド
１０７  第１バンド
１０９，１１０  凸部
【図１】
0005478391.tif 000002
【図２】
0005478391.tif 000003
【図３】
0005478391.tif 000004
【図４】
0005478391.tif 000005
【図５】
0005478391.tif 000006
【図６】
0005478391.tif 000007
【図７】
0005478391.tif 000008
【図８】
0005478391.tif 000009
【図９】
0005478391.tif 000010
【図１０】
0005478391.tif 000011
【図１１】
0005478391.tif 000012
【図１２】
0005478391.tif 000013
【図１３】
0005478391.tif 000014
【図１４】
0005478391.tif 000015
【図１５】
0005478391.tif 000016
【図１６】
0005478391.tif 000017
【図１７】
0005478391.tif 000018
【図１８】
0005478391.tif 000019
【図１９】
0005478391.tif 000020
【図２０】
0005478391.tif 000021
【図２１】
0005478391.tif 000022